(57)【特許請求の範囲】
【請求項１】
液体を吐出するノズルを有する面であるノズル面を備えたヘッド部と、
前記液体を収容する複数の収容部を装着可能な複数の装着部と、
複数の前記装着部の夫々と、前記ヘッド部とを接続する複数の流路と、
複数の前記流路に設けられ、前記ノズル面からの上下方向の距離が所定範囲であり、前記液体を貯留可能な複数の貯留部と、
を備え、
複数の前記貯留部のうち、水平方向における第一方向に並ぶ前記貯留部は、夫々、前記第一方向に向かうほど、上側に位置するように傾き、夫々の少なくとも一部分が互いに上下方向に重なり、
複数の前記貯留部のうち、水平方向において前記第一方向に直交する第二方向に並ぶ前記貯留部は、前記第一方向において互いにずれて配置されることを特徴とする印刷装置。
【請求項２】
液体を吐出するノズルを有する面であるノズル面を備えたヘッド部と、
前記液体を収容する複数の収容部を装着可能な複数の装着部と、
複数の前記装着部の夫々と、前記ヘッド部とを接続する複数の流路と、
複数の前記流路に設けられ、前記ノズル面からの上下方向の距離が所定範囲であり、前記液体を貯留可能な複数の貯留部と、
を備え、
複数の前記貯留部のうち、水平方向における第一方向に並ぶ前記貯留部は、夫々、前記第一方向に向かうほど、上側に位置するように傾き、夫々の少なくとも一部分が互いに上下方向に重なり、
前記貯留部は、
可撓性を有するフィルムで形成され、内部に前記液体を貯留可能であり、前記第一方向に向かうほど、上側に位置するように傾いて配置された袋部と、
前記袋部における前記第一方向の反対方向側の端部に設けられ、前記袋部に前記液体を流入させることが可能な流入口と、
前記袋部の前記第一方向の側の端部に設けられ、前記袋部から前記液体を流出させることが可能な流出口と、
を備え、
上下方向において前記流出口は前記流入口より上側に位置することを特徴とする印刷装置。
【請求項３】
液体を吐出するノズルを有する面であるノズル面を備えたヘッド部と、
前記液体を収容する複数の収容部を装着可能な複数の装着部と、
複数の前記装着部の夫々と、前記ヘッド部とを接続する複数の流路と、
複数の前記流路に設けられ、前記ノズル面からの上下方向の距離が所定範囲であり、前記液体を貯留可能な複数の貯留部と、
を備え、
複数の前記貯留部のうち、水平方向における第一方向に並ぶ前記貯留部は、夫々、前記第一方向に向かうほど、上側に位置するように傾き、夫々の少なくとも一部分が互いに上下方向に重なり、
複数の前記装着部は、前記水平方向に並ぶ複数の前記貯留部よりも上側において、上下方向に並べて配置され、
複数の前記流路は、
１つの前記装着部より上側に配置された前記装着部と、前記水平方向において１つの前記貯留部より前記装着部から近い側に配置された前記貯留部とを接続する第一流路と、
１つの前記装着部と１つの前記貯留部とを接続する第二流路と、
を含むことを特徴とする印刷装置。
【請求項４】
複数の前記貯留部を支持する複数の支持台と、
複数の前記支持台の夫々の端部から立設する壁部と、
前記壁部に配置され、前記支持台を他の部材に固定する固定部と、
を備え、
複数の前記支持台のうち、第二方向に並ぶ前記支持台に設けられた固定部は、前記第一方向において互いにずれて配置されていることを特徴とする請求項１から３のいずれかに記載の印刷装置。
【請求項５】
前記貯留部は、
可撓性を有するフィルムで形成され、内部に前記液体を貯留可能であり、前記第一方向に向かうほど、上側に位置するように傾いて配置された袋部と、
前記袋部における前記第一方向の反対方向側の端部に設けられ、前記袋部に前記液体を流入させることが可能な流入口と、
前記袋部の第一方向側の端部に設けられ、前記袋部から前記液体を流出させることが可能な流出口と、
を備え、
上下方向において前記流出口は前記流入口より上側に位置することを特徴とする請求項１、３、４のいずれかに記載の印刷装置。
【請求項６】
前記袋部における前記流出口の側の端部に設けられ、前記流入口の側から前記流出口の側に向かうほど、前記袋部の内側の空間の幅を短くするテーパ部を備えたことを特徴とする請求項５に記載の印刷装置。
【請求項７】
前記袋部の上面に当接可能であり、前記液体の残量によって変化する前記袋部の厚みに応じて変位する残量検出部を備え、
前記残量検出部の前記袋部への当接位置は、前記袋部における上下方向中央よりも下側であることを特徴とする請求項５又は６に記載の印刷装置。
【請求項８】
支持台の端部に設けられ、前記残量検出部を支持する支持部を備え、
前記袋部は、
１枚の前記フィルムが折り曲げられて形成され、
前記１枚の前記フィルムの対向する端部が接続された部位であって、前記流入口の側から前記流出口の側に向かう方向に延びる接続部を備え、
前記接続部は、前記支持台における前記支持部の側に配置されることを特徴とする請求項７に記載の印刷装置。
【請求項９】
複数の前記装着部は、前記水平方向に並ぶ複数の前記貯留部よりも上側において、上下方向に並べて配置され、
複数の前記流路は、
１つの前記装着部より上側に配置された前記装着部と、前記水平方向において１つの前記貯留部より前記装着部から近い側に配置された前記貯留部とを接続する第一流路と、
１つの前記装着部と１つの前記貯留部とを接続する第二流路と、
を含むことを特徴とする請求項１、２、４から６のいずれかに記載の印刷装置。
【請求項１０】
前記第一流路と前記第二流路とは同じ長さであることを特徴とする請求項３又は９に記載の印刷装置。
【発明の詳細な説明】
【技術分野】
【０００１】
本発明は、液体を収容する収容部が装着される印刷装置に関する。
【背景技術】
【０００２】
従来、液体を収容する収容部が装着される複数の装着部を有する印刷装置が知られている。例えば、特許文献１に記載のプリンタは、記録ヘッド、複数のメインタンク、及び複数のサブタンクを備えている。複数のメインタンクは、プリンタに装着される。記録ヘッドはインクを吐出する。サブタンクは、複数のメインタンクと記録ヘッドとを接続する流路の夫々に配置された貯留部である。インクは、メインタンクからサブタンクに供給され、サブタンクから記録ヘッドに供給される。
【先行技術文献】
【特許文献】
【０００３】
【特許文献１】特開２００３−１５９８０９号公報
【発明の概要】
【発明が解決しようとする課題】
【０００４】
記録ヘッドにおけるインクを吐出可能なノズル面においては、インクの表面張力に基づくメニスカスが形成されてインクが保持される。メニスカスが破壊されないためには、ノズル面と複数のサブタンクとの水頭差を、所定の範囲内に収める必要がある。このため、例えば、複数のサブタンクを水平方向に並べ、ノズル面と複数のサブタンクとの水頭差を所定の範囲内に収めることが考えられる。しかし、複数のサブタンクを水平方向に並べると、上下方向に並べる場合に比べて、サブタンクを並べるための水平方向のスペースが増大する。このため、プリンタが大型化する可能性があった。
【０００５】
本発明の目的は、複数の貯留部を配置する水平方向のスペースを小さくする印刷装置を提供することである。
【課題を解決するための手段】
【０００６】
本発明に係る印刷装置は、液体を吐出するノズルを有する面であるノズル面を備えたヘッド部と、前記液体を収容する複数の収容部を装着可能な複数の装着部と、複数の前記装着部の夫々と、前記ヘッド部とを接続する複数の流路と、複数の前記流路に設けられ、前記ノズル面からの上下方向の距離が所定範囲であり、前記液体を貯留可能な複数の貯留部とを備え、複数の前記貯留部のうち、水平方向における第一方向に並ぶ前記貯留部は、夫々、前記第一方向に向かうほど、上側に位置するように傾き、夫々の少なくとも一部分が互いに上下方向に重なり、複数の前記貯留部のうち、水平方向において第一方向に直交する第二方向に並ぶ前記貯留部は、前記第一方向において互いにずれて配置され、前記第一方向に向かうほど、上側に位置するように傾く。
【０００７】
この場合、複数の貯留部は、少なくとも一部分が上下方向に重なるように斜めに配置されるので、一部分が上下方向に重ならない場合に比べて、貯留部を配置するための水平方向のスペースを小さくすることができる。また、複数の貯留部は、斜めに配置されている状態で、第二方向に並ぶ貯留部が第一方向において互いにずれているので、ずれていない場合に比べて、貯留部を配置するための水平方向のスペースを小さくすることができる。よって、印刷装置が大型化する可能性を低減できる。
【図面の簡単な説明】
【０００８】
【図１】プリンタ１の斜視図である。
【図２】インク流路系７００の一部を示す概略図である。
【図３】インク流路系７００の他の一部を示す概略図である。
【図４】装着枠部８の斜視図である。
【図５】カートリッジ３の縦断面図である。
【図６】装着枠部８の正面図である。
【図７】装着枠部８及びインク流路系７００の斜視図である。
【図８】装着枠部８及びインク流路系７００の右側面図である。
【図９】サブタンク９１の斜視図である。
【図１０】サブタンク９１の底面図である。
【図１１】サブタンク９１の背面図である。
【図１２】サブタンク９１を支持したサブタンク支持部９２の斜視図である。
【図１３】サブタンク９１を支持したサブタンク支持部９２の背面図である。
【図１４】サブタンク９１を支持したサブタンク支持部９２の縦断面の要部拡大図である。
【図１５】サブタンク９１を支持したサブタンク支持部９２の左面図である。
【図１６】図１５に示す状態から、サブタンク９１の袋部９３の厚みが厚くなった状態を示す、サブタンク９１を支持したサブタンク支持部９２の左面図である。
【図１７】装着枠部８及びインク流路系７００の背面図である。
【発明を実施するための形態】
【０００９】
本発明の実施の形態について、図面を参照して説明する。図１から図１７を参照して、プリンタ１の構成について説明する。なお、図１の上方、下方、左下方、右上方、右下方、及び左上方が、夫々、プリンタ１の上方、下方、前方、後方、右方、及び左方である。
【００１０】
図１に示すように、プリンタ１は、印刷媒体であるＴシャツ等の布帛（図示せず）に対して、液体のインク９７（図２参照）を吐出することで印刷を行うインクジェットプリンタである。プリンタ１は、紙等を印刷媒体としてもよい。本実施形態においては、プリンタ１は、互いに異なる５種のインク９７（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像の印刷を行うことができる。以下の説明では、５種のインク９７（図２参照）のうち、ホワイトのインク９７を白インクといい、ブラック、シアン、イエロー、及びマゼンタの４色のインク９７を総称する場合はカラーインクという。白インクは、カラーインクより沈降性の高い成分を含む高沈降液体である。沈降性の高い成分は、例えば、酸化チタンなどの顔料である。
【００１１】
例えば、白インクは先に布帛に対して吐出され、カラーインクは白インクが吐出された後に吐出される。白インクは、例えば地色が濃い色の布帛に画像が印刷される場合に下地として使用される。印刷画像によっては、必ずしも白インクが吐出された後にカラーインクが吐出されなくてもよい。より具体的には、布帛の表面には、白インクのみが吐出される領域及びカラーインクのみが吐出される領域があってもよい。また、印刷画像によっては、白インクはカラーインクが吐出された後に吐出されてもよい。
【００１２】
プリンタ１は、筐体２、プラテン駆動機構６、一対のガイドレール（図示せず）、プラテン５、トレイ４、枠体１０、ガイドシャフト９、レール７、キャリッジ２０、ヘッドユニット１００，２００、駆動ベルト１０１、及び駆動モータ１９を備える。
【００１３】
筐体２は、左右方向を長手方向とする略直方体状である。筐体２の右部の前側には、プリンタ１の操作を行うための操作部（図示せず）が設けられている。操作部は、ディスプレイ及び操作ボタンを備える。ディスプレイは、各種情報を表示する。操作ボタンは、作業者がプリンタ１の各種動作に関する指示を入力する際に操作される。
【００１４】
枠体１０は、平面視略長方形状の枠状であり、筐体２の上部に設置される。枠体１０は、前方側にガイドシャフト９を、後方側にレール７を夫々支持する。ガイドシャフト９は、枠体１０内側において左右方向に延びる軸状部を備える軸部材である。レール７は、ガイドシャフト９に対向して配置され、左右方向に延びる棒状部材である。
【００１５】
キャリッジ２０は、ガイドシャフト９に沿って左右方向に搬送可能に支持されている。ヘッドユニット１００，２００は、前後方向に並べられてキャリッジ２０に搭載されている。ヘッドユニット１００は、ヘッドユニット２００よりも後方に位置する。図２及び図３に示すように、ヘッドユニット１００，２００は、夫々、ヘッド部１１０を下部に備える。なお、図２及び図３は、インク９７の流路の各部材の上下方向の位置を示すための簡略図である。このため、図２及び図３では、前側から見たヘッドユニット１００，２００を紙面の左右に並べて示している。ヘッドユニット１００のヘッド部１１０は、白インクを吐出する。ヘッドユニット２００のヘッド部１１０は、カラーインクを吐出する。
【００１６】
ヘッド部１１０は、インク９７を下方に吐出可能な微細なノズル１１３（図２参照）を複数有する面であるノズル面１１１を備えている。ノズル面１１１は、水平方向と平行な平面であり、ヘッドユニット１００，２００の夫々の底面を形成する。ノズル面１１１において、複数のノズル１１３はノズル配置領域１２０に設けられている。ノズル配置領域１２０は、左右方向におけるノズル面１１１の中央部に設けられ、前後方向に延びる。
【００１７】
ノズル面１１１は、ノズル１１３が複数配列された複数のノズル配列１２１〜１２４を有する。ノズル配列１２１〜１２４は、夫々、ノズル配置領域１２０を左右方向において４つに分けた領域に位置する複数のノズル１１３の配列であり、右側から左側に向けてノズル配列１２１、ノズル配列１２２、ノズル配列１２３、及びノズル配列１２４の順に並んでいる。
【００１８】
ヘッドユニット１００のノズル配列１２１〜１２４は、夫々、白インクを吐出可能なノズル配列である。ヘッドユニット１００のノズル配列１２１，１２２は、白インクを貯留する１つのカートリッジ３０１（図２及び図４参照）に接続されている。ヘッドユニット１００のノズル配列１２３，１２４は、白インクを貯留する他の１つのカートリッジ３０２（図３及び図４参照）に接続されている。
【００１９】
図２及び図３に示すように、ヘッドユニット２００のノズル配列１２１〜１２４は、カラーインクを貯留するカートリッジ３０３〜３０６に接続されている。より詳細には、ヘッドユニット２００のノズル配列１２１は、マゼンダインクのカートリッジ３０３（図２及び図４参照）に接続され、ノズル配列１２２は、シアンインクのカートリッジ３０４（図３及び図４参照）に接続されている。ノズル配列１２３は、イエローインクのカートリッジ３０５（図２及び図４参照）に接続され、ノズル配列１２４は、ブラックインクのカートリッジ３０６（図３及び図４参照）に接続されている。
【００２０】
図１に示すように、駆動ベルト１０１は、枠体１０の内側において、左右方向に沿って架け渡される帯状である。駆動ベルト１０１は、可撓性を有する樹脂製である。駆動モータ１９は、枠体１０の内側の右前部に設けられる。駆動モータ１９は、正逆回転可能であり、駆動ベルト１０１を介して、キャリッジ２０と連結されている。駆動モータ１９が駆動ベルト１０１を駆動することにより、ガイドシャフト９に沿ってキャリッジ２０が左右方向に往復移動される。これによって、ヘッドユニット１００，２００は左右方向に往復移動され、ヘッドユニット１００，２００の下側においてヘッドユニット１００，２００に対向して配置されたプラテン５に向けてインク９７を吐出する。これによって、プラテン５に支持された印刷媒体への印刷が行われる。
【００２１】
プラテン駆動機構６は、一対のガイドレール（図示せず）及びプラテン支持台（図示せず）を備える。一対のガイドレールは、プラテン駆動機構６の内側を前後方向に延び、プラテン支持台を前後方向に移動可能に支持する。プラテン支持台は、上部においてプラテン５を支持する。プラテン５は、印刷媒体を支持する。プラテン５の下方には、トレイ４が設けられている。トレイ４は、作業者がＴシャツ等をプラテン５に載置する際に、Ｔシャツのそで等を受けることで、当該そで等が筐体２内部の他の部品に接触しないように保護する。
【００２２】
プラテン駆動機構６は、プリンタ１の後端部に設けられたモータ（図示せず）によって駆動され、プラテン支持台及びプラテン５を、一対のガイドレールに沿って筐体２の前後方向に移動させる。プラテン５が、印刷媒体を前後方向（副走査方向）に搬送し、左右方向に往復移動するヘッド部１１０からインク９７が吐出されることで、プリンタ１による印刷媒体への印刷が行われる。
【００２３】
プリンタ１の右側には、図４に示す装着枠部８が設けられている。装着枠部８は、図示しない筐体によって支持されている。装着枠部８は、複数のカートリッジ３を装着可能な複数の装着部８０を備えている。複数の装着部８０は、装着枠部８の前面から直方体状に後方に凹む凹部である。複数の装着部８０は、その内側の後端に、前方に向けて設けられた中空針（図示せず）を備えている。カートリッジ３が装着部８０に装着されると、カートリッジ３に収容された液体収容体３１の口栓７０（図５参照、後述）に配置されたゴム栓（図示せず）に中空針が刺さる。中空針は、カートリッジ３に収容された液体収容体３１（図５参照）からインク９７を導出する。
【００２４】
図５に示すように、カートリッジ３は、ケース３２、液体収容体３１、軸部４３、及び弾性部材４５を備えている。ケース３２は、全体として前後方向に長い直方体の外観を有し、後端部に開口部３２１を備えている。ケース３２の内側には、液体収容体３１が配置される。液体収容体３１は、液体収容袋１３及び口栓７０を備えている。液体収容袋１３は、可撓性を有する長方形状の樹脂性の２枚のフィルム１３Ａ，１３Ｂを、夫々の一面同士が対向した状態で重ね合わせ、周縁部分を熱溶着（熱シール）によって接続することで形成された袋状の容器である。液体収容袋１３は前後方向に延びる。口栓７０は、液体収容袋１３の後端に接続され、ケース３２の開口部３２１から後方に露出している。口栓７０は、後方に延びる円筒状である。口栓７０の内側には、ゴム栓（図示せず）が配置されており、液体収容袋１３内のインク９７が漏れないように封止されている。
【００２５】
軸部４３は、左右方向に延びる円柱状である。軸部４３の左右方向の端部には、左右方向外側に突出する突出部（図示せず）が設けられている。該突出部は、ケース３２の内側における左右方向の側面に設けられた凹部５３に配置されている。凹部５３は、左右方向外側に凹み、前後方向に延びる。弾性部材４５は、ケース３２の内側の底面上を前後方向に延び、後端がケース３２の後部に固定され、前端部が軸部４３に巻回されている。弾性部材４５は、後方向に復元力を生じるように付勢される。このため、軸部４３は弾性部材４５によって後方向に付勢され、液体収容袋１３を巻き取ってインク９７を口栓７０へ向けて集めながら後方向に進む。即ち、液体収容体３１内のインク９７の残量が少なくなればなるほど、軸部４３が後側に移動する（図５の矢印３９参照）。
【００２６】
インク９７は、装着部８０に装着されたカートリッジ３からノズル面１１１に向けて供給される。図２及び図３に示すように、ノズル面１１１からの上下方向の距離が所定範囲の外側の領域を第一領域２１１といい、ノズル面１１１からの上下方向の距離が所定範囲の領域を第二領域２１２という。本実施形態では、所定範囲は、ノズル面１１１から下方に向かう距離がＬ１からＬ２となる範囲である。Ｌ１は、例えば１０ｍｍであり、Ｌ２は、例えば５０ｍｍである。図２の拡大図Ｗ２に示すように、ノズル面１１１では、表面張力によってインク９７がノズル１１３の内側に凹むメニスカスが発生する。メニスカスによってインク９７がノズル面１１１に保持される。ノズル面１１１からの上下方向の距離が所定範囲である第二領域２１２からノズル面１１１に向けてインク９７を供給するとメニスカスが壊れ難く、適切にインク９７を吐出できる。
【００２７】
図４及び図６に示すように、複数の装着部８０は、左右方向に２列、且つ、上下方向に３列に並べられている。図２、図３、及び図６に示すように、複数の装着部８０は、第一領域２１１に位置する第一装着部８１１〜８１４と、第二領域２１２に位置する第二装着部８２１，８２２とを備えている。本実施形態では、第二装着部８２１，８２２は、第一装着部８１１〜８１４より下側に配置されている。より詳細には、図６に示すように、第二装着部８２１は、装着枠部８の右下部に設けられ、第二装着部８２２は、第二装着部８２１の左側に設けられている。第一装着部８１１，８１２は、夫々、第二装着部８２１、８２２の上側に設けられている。第一装着部８１３，８１４は、夫々、第一装着部８１１，８１２の上側に設けられている。また、第一装着部８１１，８１３は、複数のサブタンク９１より上側において上下方向に並べて配置されている。第一装着部８１２，８１４は、サブタンク９１より上側において上下方向に並べて配置されている。
【００２８】
第二装着部８２１，８２２は、夫々、カートリッジ３０１，３０２を装着可能である。カートリッジ３０１，３０２には、白インクが収容されている。第一装着部８１１〜８１４は、夫々、カートリッジ３０３〜３０６を装着可能である。カートリッジ３０３〜３０６には、カラーインクが収容されている。
【００２９】
図７及び図８に示すように、装着枠部８の後方には、４つのサブタンク９１と４つのサブタンク支持部９２が設けられている。サブタンク９１及びサブタンク支持部９２は、水平方向において装着部８０に対向して配置されている。図２、図３、及び図８に示すように、サブタンク９１は、第二領域２１２に位置する。なお、図２及び図３は、インク９７の流路の各部材の上下方向の位置を示すための簡略図であり、サブタンク９１及びサブタンク支持部９２との向きは、図７に示す向きとは異なる。サブタンク９１は、後述する貯留流路７１１〜７１４（図２及び図３参照）に含まれ、カートリッジ３からノズル面１１１に供給されるインク９７を貯留可能である。
【００３０】
サブタンク９１の構成について詳述する。以下の説明では、図９の上方、下方、左上方、右下方、左下方、及び右上方が、夫々、サブタンク９１の上方、下方、前方、後方、右方、及び左方であるとする。また、図７に示すように、サブタンク９１及びサブタンク支持部９２がプリンタ１に装着された状態において、水平方向における左方向を第一方向という場合があり、水平方向において第一方向に直交する前後方向を第二方向という場合がある。
【００３１】
図９〜図１１に示すように、サブタンク９１は、袋部９３及び口栓９４を備えている。袋部９３は、内部に液体であるインク９７を貯留可能である。袋部９３は、平面視で左右方向を長手方向とする長方形状である。図７に示すように、袋部９３は、第一方向に向かうほど、上側に位置するように傾いて配置される。なお、図７においては、袋部９３及び口栓９４の符号は、後述するサブタンク９１１にのみ図示している。
【００３２】
口栓９４は、流入口９４１と流出口９４２とを含む。図７及び図９に示すように、流入口９４１は、袋部９３における第一方向（図７参照）の反対方向である右方向側の端部に設けられている。流入口９４１は、袋部９３にインク９７を流入させることが可能である。流出口９４２は、袋部９３における第一方向側の端部に設けられている。流出口９４２は、袋部９３からインク９７を流出させることが可能である。図７に示すように、上下方向において、流出口９４２は流入口９４１より上側に位置する。
【００３３】
図９〜図１１に示すように、袋部９３は、夫々、可撓性を有する矩形状の樹脂性の１枚のフィルムを折り曲げて周縁部分を熱溶着（熱シール）によって接続して形成した袋状の容器である。図９及び図１０に示すように、袋部９３において、１枚のフィルムの対向する端部が接続された袋部９３の前部を第一接続部９３１という。第一接続部９３１は、流入口９４１から流出口９４２に向かう左方向に延びる。また、１枚のフィルムの対向する部位が接続された袋部９３の右部を第二接続部９３２といい、左部を第三接続部９３３という。第二接続部９３２と第三接続部９３３とは、夫々、前後方向に延びる。
【００３４】
袋部９３における流出口９４２側の端部には、テーパ部９３４，９３５が設けられている。テーパ部９３４，９３５は、第三接続部９３３の右端部によって形成されている。テーパ部９３４，９３５は、流入口９４１側から流出口９４２側に向かうほど、袋部９３の内側の空間の幅を短くするように傾いている。より詳細には、流出口９４２は、袋部９３の前後方向中央部に位置する。テーパ部９３４は、第一接続部９３１の左端部から、後斜め左方に傾いて形成されている。テーパ部９３５は、袋部９３の後部の左部から、前斜め左方に傾いて形成されている。
【００３５】
図９〜図１１に示すように、流出口９４２は、円筒部８４１、第一板部８４２、第二板部８４３、及び口栓固定部８４４を備えている。円筒部８４１の右部は、袋部９３の第三接続部９３３における対向するフィルム相互間を介して袋部９３の内側に挿通されている。円筒部８４１は、左方向に延び、屈曲部８４５において左下方に折れ曲がって延びる。インク９７は、円筒部８４１の内側に形成された孔部８４６（図１０参照）内を流れる。第一板部８４２は、円筒部８４１のうち、屈曲部８４５より右側の部位から下方に突出する。第一板部８４２は左右方向に延びる。
【００３６】
第二板部８４３は、円筒部８４１のうち、屈曲部８４５より右側の部位から上下前後方向に延びる。上下方向において第二板部８４３の下端は、第一板部８４２の下端と同じ位置である。第一板部８４２と第二板部８４３とは、下側から見た場合に互いに直交する（図１０参照）。第一板部８４２と第二板部８４３との下端は、サブタンク支持部９２にサブタンク９１が装着されたときに流出口９４２を支持する支持部である。第二板部８４３の上端には、前後方向に延びる円柱状の口栓固定部８４４が接続されている。口栓固定部８４４の後部には、前後方向に延びる螺子穴８４７が形成されている（図９参照）。
【００３７】
流入口９４１は、円筒部８５１、第一板部８５２（図１０及び図１１参照）、第二板部８５３、及び係合部８５４を備えている。円筒部８５１の左部は、袋部９３の第二接続部９３２における対向するフィルム相互間を介して袋部９３の内側に挿通されている。円筒部８５１は、右方向に延びる。インク９７は、円筒部８５１の内側に形成された孔部８５６（図９参照）内を流れる。第一板部８５２（図１０及び図１１参照）は、円筒部８５１から下方に突出する。第一板部８５２は、円筒部８５１の左右方向中央部から左方に延びる。
【００３８】
第二板部８５３は、円筒部８５１における左右方向中央部から上下前後方向に延びる。上下方向において第二板部８５３の下端は、第一板部８５２の下端と同じ位置である。第二板部８５３は、第一板部８５２の右端に接続されている（図１０参照）。
【００３９】
図９に示すように、第二板部８５３の上端における前後方向中央部には、矩形状に下方に凹む凹部８５７が設けられている。凹部８５７に沿って、壁部８５８が右方に突出している。係合部８５４は、凹部８５７及び壁部８５８によって形成されている。係合部８５４は、後述する第一接続流路６２１〜６２４のいずれかの外面と係合する部位である（図７及び図１２参照）。
【００４０】
サブタンク支持部９２の構成について詳述する。以下の説明では、図１２の上方、下方、右上方、左下方、左上方、及び右下方が、夫々、サブタンク支持部９２の上方、下方、前方、後方、右方、及び左方であるとする。サブタンク支持部９２は、サブタンク９１を支持する部材である。図７及び図１２に示すように、サブタンク支持部９２は、支持板部９５、バルブ部９６、及び検出部６９を備えている。なお、図７においては、支持板部９５、バルブ部９６、及び検出部６９の符号は、後述するサブタンク支持部９２１にのみ図示している。
【００４１】
図１２に示すように、支持板部９５は、板状部材であり、その上面側においてサブタンク９１を支持する。支持板部９５の左端部における前後方向中央部には、左方に突出する突出部９５１が設けられている。突出部９５１の上面は、流出口９４２の下端を形成する第一板部８４２及び第二板部８４３（図１０参照）に接触し、流出口９４２を支持する。突出部９５１の後端部には、上方に延びる壁部９５２が設けられている。壁部９５２は、前後方向に貫通する孔９５３を備えている。孔９５３の左側には、螺子９５４の頭部が配置され、螺子９５４の軸部が孔９５３に挿通される。螺子９５４の軸部は、流出口９４２の螺子穴８４７（図１１参照）に締結される。これによって、流出口９４２がサブタンク支持部９２に固定される。
【００４２】
支持板部９５の右前部には、壁部９５５が上方に向けて立設されている。壁部９５５は、支持板部９５の右端に沿って前後方向に延びる第一壁部９５６と、支持板部９５の前端に沿って左右方向に延びる第二壁部９５７とを備えている。第一壁部９５６の後端は、支持板部９５の後端より前側に位置する。第一壁部９５６の後部には、第一壁部９５６が下方に切り欠かれた切欠部９５８が形成されている。
【００４３】
第二壁部９５７の上端は、左方に向かうほど、下方に位置するように傾いている。第二壁部９５７の右上端部には、第一固定部８６が設けられている。第一固定部８６は、第二壁部９５７の右端が左方に凹むことで形成されている。第一固定部８６は、サブタンク支持部９２の他の部材である支持板部１４（図７参照）に、サブタンク支持部９２を固定するための部位である。
【００４４】
支持板部９５の右側には、バルブ部９６が配置されている。バルブ部９６は、後述する貯留流路７１１〜７１４（図２及び図３参照）の夫々に設けられ、貯留流路７１１〜７１４を開閉する。より詳細には、バルブ部９６は、後述する第一接続流路６２１〜６２４の夫々と流入口９４１とに接続され、第一接続流路６２１〜６２４と流入口９４１との間の流路を開閉する。
【００４５】
バルブ部９６は、流路形成部９６１、第一接続口９６２、第二接続口９６３、及びソレノイド９８を備えている。流路形成部９６１は、左面視で矩形状である。流路形成部９６１の上前部及び下後部が、夫々、螺子９６４，９６５（図１３参照）によって、第一壁部９５６における切欠部９５８の周囲の部位に連結されている。これによって、バルブ部９６が壁部９５５に支持されている。
【００４６】
第一接続口９６２は、流路形成部９６１の左面から左方に突出する円筒状である。第一接続口９６２の左端部は、流入口９４１に設けられた係合部８５４の内側に配置されている。第一接続口９６２は、第一接続流路６２１〜６２４の夫々と接続される。このとき、係合部８５４が、第一接続流路６２１〜６２４の外面と係合する（図７及び図１２参照）。
【００４７】
図１２〜図１４に示すように、第一接続口９６２の下側には、第二接続口９６３が配置されている。第二接続口９６３は、流路形成部９６１の左面から左方に突出する円筒状である。第二接続口９６３は、流入口９４１に接続される。図１４に示すように、流路形成部９６１の右部には、第一接続口９６２内の流路９６７と第二接続口９６３内の流路９６８とを接続する流路９６６が形成されている。
【００４８】
図１２及び図１４に示すように、ソレノイド９８は、バルブ部９６の右側に配置されている。ソレノイド９８は、左方に延びる可動軸９８１を備えている。可動軸９８１の周囲には、コイルバネ９８２が配置されている。ソレノイド９８は、図示しないＣＰＵの制御によって、通電状態に切り替えられることで、可動軸９８１をコイルバネ９８２の付勢力に抗して右方に移動させる。ソレノイド９８は、ＣＰＵの制御によって非通電状態に切り替えられることで、コイルバネ９８２の付勢力によって可動軸９８１を左方に移動させる。
【００４９】
図１４に示すように、可動軸９８１の先端部には、開閉部材９９が連結されている。開閉部材９９は、開閉軸９９１と、被覆部９９２とを備えている。開閉軸９９１は、開閉部材９９の左端部に設けられ、左方に延びる円柱状である。開閉軸９９１は、第二接続口９６３の右側に位置する。開閉軸９９１の径は、第二接続口９６３の流路９６８の径より大きい。可動軸９８１が左方に移動すると、開閉軸９９１が第二接続口９６３の流路９６８を閉じる。これによって、流路９６６が閉じられ、インク９７が流れなくなる。可動軸９８１が右方に移動すると、開閉軸９９１が第二接続口９６３の流路９６８を開く。これによって、流路９６６が開かれ、インク９７が流れる。
【００５０】
被覆部９９２は、開閉軸９９１の左端のやや右側から、径方向外側に延び、流路形成部９６１における流路９６６の周囲に接続されている。すなわち、被覆部９９２は、流路形成部９６１を覆う。被覆部９９２は弾性を有し、可動軸９８１の左右方向への移動に追従して撓む。
【００５１】
図１２に示すように、支持板部９５の後端部の右部には、壁部９６０が上方に立設されている。検出部６９は、残量検出板６９１と光学検出部６９６とを備えている。光学検出部６９６は、壁部９６０の前面に配置されている。光学検出部６９６は、発光部６９７と受光部６９８とを備えている。発光部６９７と受光部６９８とは、左右方向に互いに離間している。光学検出部６９６は、検出回路（図示せず）を介してＣＰＵ（図示せず）に電気的に接続されている。
【００５２】
残量検出板６９１は、サブタンク９１の袋部９３の上面に当接可能であり、インク９７の残量によって変化する袋部９３の厚みに応じて変位する（図１５及び図１６参照）。残量検出板６９１は、固定板部６９２、延伸板部６９３、及び遮蔽板部６９４を備えている。固定板部６９２は、第二壁部９５７の左端部の上端部における後面に配置される。固定板部６９２が螺子６９９によって第二壁部９５７に固定されることによって、残量検出板６９１がサブタンク支持部９２に固定される。
【００５３】
延伸板部６９３は、固定板部６９２の下端から後方に延びる。延伸板部６９３の後端部は、下方に折れ曲がっている。延伸板部６９３は、袋部９３の上面に当接する部位である。残量検出板６９１の袋部９３への当接位置は、袋部９３における左右方向中央よりも右側である。また、図７に示すように、サブタンク支持部９２が後述する支持板部１４に取り付けられた状態では、残量検出板６９１の袋部９３への当接位置は、袋部９３における上下方向中央よりも下側である。図１２、図１３、及び図１６に示すように、袋部９３の第一接続部９３１は、残量検出板６９１を支持する第二壁部９５７側に配置されている。
【００５４】
遮蔽板部６９４は、延伸板部６９３の後端から上方に延びる。遮蔽板部６９４の上端は、後方に突出し、光学検出部６９６の発光部６９７と受光部６９８との間に配置される。袋部９３のインク９７の残量に応じて袋部９３の厚みが変位すると、延伸板部６９３が上下方向に変位し、遮蔽板部６９４が上下方向に移動する。図１２、図１４、及び図１５に示すように、袋部９３が所定の厚み以下である場合、遮蔽板部６９４の上部は、発光部６９７と受光部６９８との間の光路６７０（図１４及び図１６参照）に位置し、発光部６９７からの光を遮蔽する。故に、発光部６９７からの光は受光部６９８によって受光されない。図１６に示すように、袋部９３が所定の厚みより厚い場合、遮蔽板部６９４の上部は、発光部６９７と受光部６９８との間の光路６７０より上側に移動し、発光部６９７からの光を遮蔽しない。故に、発光部６９７からの光は受光部６９８によって受光される。ＣＰＵは、受光部６９８による受光の有無を検知することで、袋部９３の厚みを検知する。
【００５５】
図１３に示すように、支持板部９５の前部における左右方向中央には、下方に延びる壁部８７０が設けられている。壁部８７０の右下部には、左斜め上方に凹んで形成された第二固定部８７が形成されている。第二固定部８７は、サブタンク支持部９２を支持板部１４に固定するための部位である。
【００５６】
図７、図８、及び図１７に示すように、装着枠部８の後面８１には、支持板部１４が設けられている。支持板部１４は、サブタンク支持部９２を支持する。支持板部１４は、第一板部１４１、第二板部１４２、及び第三板部１４３を備えている。第一板部１４１は、上下方向において第一装着部８１１，８１２と第二装着部８２１，８２２との間、且つ、左右方向において装着枠部８の後面８１の右端部から後方に延びる。第二板部１４２は、第一板部１４１の後端に接続され、左右方向に延びる。このため、第二板部１４２は、装着枠部８の後方に位置する。第三板部１４３は、第二板部１４２の後方において左右方向に延びる。第三板部１４３の右部の下端と、第二板部１４２の右部の下端とは、前後方向に延びる板部（図示せず）によって接続されている。なお、支持板部１４の左端部は、図示しないフレーム部材に支持されている。
【００５７】
４つのサブタンク支持部９２と、４つのサブタンク９１とは、左右方向に２列、前後方向に２列に並べられている。４つのサブタンク９１の夫々を、サブタンク９１１〜９１４という。また、４つのサブタンク９１１〜９１４を支持するサブタンク支持部９２の夫々を、サブタンク支持部９２１〜９２４という。
【００５８】
図７に示すように、サブタンク９１３及びサブタンク支持部９２３は、第二装着部８２１（図６参照）の後方に位置する。サブタンク９１４及びサブタンク支持部９２４は、第二装着部８２２（図６参照）の後方に位置する。サブタンク支持部９２３，９２４は、支持板部１４の第二板部１４２に連結されている。
【００５９】
サブタンク９１１及びサブタンク支持部９２１は、夫々、サブタンク９１３及びサブタンク支持部９２３の後側に位置する。サブタンク９１２及びサブタンク支持部９２２は、サブタンク９１４及びサブタンク支持部９２４の後側に位置する。支持板部１４の第三板部１４３は、サブタンク支持部９２３，９２４の後側に位置する。サブタンク支持部９２１，９２２は、夫々、第三板部１４３に連結されている。サブタンク９１とサブタンク支持部９２は、水平面に対して左斜め上方に傾いている。
【００６０】
図７及び図１７に示すように、複数のサブタンク９１のうち、第一方向に並ぶサブタンク９１１，９１２は、第一方向に向かうほど、上側に位置するように傾き、夫々の一部分が互いに上下方向に重なる。このため、サブタンク９１１の左部は、サブタンク９１２の右部の上方に位置する。複数のサブタンク９１のうち、第一方向に並ぶサブタンク９１３，９１４は、第一方向に向かうほど、上側に位置するように傾き、夫々の一部分が互いに上下方向に重なる。このため、サブタンク９１３の左部は、サブタンク９１４の右部の上方に位置する。
【００６１】
また、図１７に示すように、複数のサブタンク９１のうち、第二方向に並ぶサブタンク９１１，９１３は、第一方向において互いにずれて配置されている。より詳細には、左右方向において、サブタンク９１１は、サブタンク９１３より第一方向側に位置する。また、複数のサブタンク９１にうち、第二方向に並ぶサブタンク９１２，９１４は、第一方向において互いにずれて配置されている。より詳細には、左右方向において、サブタンク９１２は、サブタンク９１４より第一方向側に位置する。
【００６２】
サブタンク支持部９２１〜９２４の第一固定部８６を、夫々、第一固定部８６１〜８６４という。サブタンク支持部９２１〜９２４の第二固定部８７を、夫々、第二固定部８７１〜８７４という。複数のサブタンク支持部９２のうち、第二方向に並ぶサブタンク支持部９２１，９２３は、第一方向において互いにずれて配置されている。そして、サブタンク支持部９２１，９２３の第一固定部８６１，８６３は、第一方向において互いにずれて配置され、第二固定部８７１，８７３は、第一方向において互いにずれて配置されている。より詳細には、左右方向において、第一固定部８６１は、第一固定部８６３より第一方向側に位置し、第二固定部８７１は、第二固定部８７３より第一方向側に位置する。
【００６３】
また、複数のサブタンク支持部９２のうち、第二方向に並ぶサブタンク支持部９２２，９２４は、第一方向において互いにずれて配置されている。そして、サブタンク支持部９２２，９２４の第一固定部８６２，８６４は、第一方向において互いにずれて配置され、第二固定部８７２，８７４は、第一方向において互いにずれて配置されている。より詳細には、左右方向において、第一固定部８６２は、第一固定部８６４より第一方向側に位置し、第二固定部８７２は、第二固定部８７４より第一方向側に位置する。
【００６４】
第一固定部８６１，８６２は、夫々、螺子８８１，８８２によって支持板部１４の第三板部１４３に固定されている。第一固定部８６３，８６４は、夫々、螺子８８３，８８４によって支持板部１４の第二板部１４２に固定されている。第二固定部８７１，８７２は、夫々、螺子８９１，８９２によって支持板部１４の第三板部１４３に固定されている。第二固定部８７３，８７４は、夫々、螺子８９３，８９４によって支持板部１４の第二板部１４２に固定されている。第三板部１４３における第一固定部８６４、第二固定部８７３，８７４の後方に位置する部位には、夫々、前後方向に貫通する孔部８６０が設けられている。このため、作業者は、後方から孔部８６０介して、第一固定部８６４、第二固定部８７３，８７４及び螺子８８４，８９３，８９４を目視可能である。また、第一固定部８６３は、左右方向において第三板部１４３の右端より右側に位置するので、作業者は後方から第一固定部８６３を目視可能である。
【００６５】
図７及び図１７に示すように、装着枠部８の後面８１から後方に向けて、ポンプ支持部１５が設けられている。ポンプ支持部１５は、ポンプ９０１〜９０４（図１７参照）を支持する。図１７に示すように、４つのポンプ９０１〜９０４は、右側から左方向に向けて並んでいる。なお、図１７においては、ポンプ９０１〜９０４とヘッド部１１０とを接続する流路の図示は省略している。
【００６６】
インク流路系７００について説明する。図２及び図３に示すように、インク流路系７００は、貯留流路７１１〜７１４及び非貯留流路７２Ａ，７２Ｂを備えている。なお、図２は、図６の右列の第一装着部８１１，８１３及び第二装着部８２１に接続されている流路を図示している。また、図３は、図６の左列の第一装着部８１２，８１４及び第二装着部８２２に接続されている流路を図示している。
【００６７】
貯留流路７１１〜７１４は、夫々、第一装着部８１１〜８１４と、ヘッドユニット２００のヘッド部１１０とを接続する流路であって、サブタンク９１１〜９１４を有する流路である。貯留流路７１１〜７１４は、カラーインクが流れる流路である。非貯留流路７２Ａ，７２Ｂは、夫々、第二装着部８２１，８２２とヘッドユニット１００のヘッド部１１０とを接続する流路であって、サブタンク９１１〜９１４を有さない流路である。非貯留流路７２Ａ，７２Ｂは、白インクが流れる流路である。
【００６８】
貯留流路７１１〜７１４について説明する。貯留流路７１１〜７１４は、夫々、液体供給口６１１〜６１４、第一接続流路６２１〜６２４、第二接続流路６３１〜６３４、及びサブタンク９１１〜９１４を含む。液体供給口６１１〜６１４は、夫々、装着枠部８の後面８１において、第一装着部８１１〜８１４の後側に設けられている。液体供給口６１１〜６１４は、夫々、第一装着部８１１〜８１４に設けられた中空針（図示せず）に、図示しない流路を介して接続されている。液体供給口６１１〜６１４は、夫々、第一装着部８１１〜８１４からヘッド部１１０側にインク９７を供給する。
【００６９】
図２、図３、及び図７に示すように、第一接続流路６２１〜６２４の夫々の一端は、液体供給口６１１〜６１４に接続されている。第一接続流路６２１〜６２４は、夫々、第二領域２１２に設けられたサブタンク９１１〜９１４に向かって延びる。図２、図７、及び図８に示すように、第一接続流路６２１は、１つの第一装着部８１１（図２参照）と１つのサブタンク９１１とを接続する流路である。第一接続流路６２３は、１つの第一装着部８１１より上側に配置された第一装着部８１３（図２参照）と、水平方向において１つのサブタンク９１１より装着部８０から近い位置に配置されたサブタンク９１３とを接続する流路である。第一接続流路６２１と第一接続流路６２３とは、同じ長さである。
【００７０】
図３及び図７に示すように、第一接続流路６２２は、１つの第一装着部８１２（図３参照）と１つのサブタンク９１２とを接続する流路である。第一接続流路６２４は、１つの第一装着部８１２より上側に配置された第一装着部８１４（図３参照）と、水平方向において１つのサブタンク９１２より装着部８０から近い位置に配置されたサブタンク９１４とを接続する流路である。第一接続流路６２２と第一接続流路６２４とは、同じ長さである。
【００７１】
図１２に示すように、第一接続流路６２１〜６２４の夫々の他端は、サブタンク支持部９２１〜９２４のバルブ部９６の第一接続口９６２に接続される。サブタンク９１１〜９１４の流入口９４１は、バルブ部９６の第二接続口９６３（図１３参照）に接続される。これによって、第一接続流路６２１〜６２４は、サブタンク９１１〜９１４の流入口９４１に繋がる。
【００７２】
図２、図３、及び図７に示すように、第二接続流路６３１〜６３４の夫々の一端は、サブタンク９１１〜９１４の流出口９４２に繋がる。第二接続流路６３１〜６３４の夫々の他端は、ヘッドユニット２００のヘッド部１１０に接続され、ノズル面１１１のノズル配列１２１〜１２４に繋がる（図２及び図３参照）。
【００７３】
非貯留流路７２Ａ，７２Ｂについて説明する。まず、非貯留流路７２Ａについて説明する。図２に示すように、非貯留流路７２Ａは、液体供給口７３Ａ、分岐部７５３Ａ、及び２つのフィルタ部６８０Ａを備えている。図２及び図８に示すように、液体供給口７３Ａは、装着枠部８の後面８１において、第二装着部８２１の後側に設けられている。液体供給口７３Ａは、第二装着部８２１に設けられた中空針に、図示しない流路を介して接続されている。液体供給口７３Ａは、第二装着部８２１からヘッド部１１０側にインク９７を供給する。
【００７４】
図２に示すように、非貯留流路７２Ａは、液体供給口７３Ａから延び、分岐部７５３Ａにおいて２つの流路に分岐し、フィルタ部６８０Ａを介して、ヘッドユニット１００のノズル配列１２１，１２２に接続されている。フィルタ部６８０Ａは、円盤状の形状を有し、インク９７に混入した異物が下流側に流れる可能性を低減する。非貯留流路７２Ａの分岐した２つの流路における、フィルタ部６８０Ａの下流側には、循環流路７７１Ａ，７７２Ａが接続されている。循環流路７７１Ａ及び循環流路７７２Ａは、夫々、ポンプ９０４及びポンプ９０３を備える。
【００７５】
図３に示すように、非貯留流路７２Ｂは、液体供給口７３Ｂ、分岐部７５３Ｂ、及び２つのフィルタ部６８０Ｂを備えている。また、非貯留流路７２Ｂには、循環流路７７１Ｂ，７７２Ｂが接続されている。これらの構成は、図２に示す非貯留流路７２Ａの液体供給口７３Ａ、分岐部７５３Ａ、２つのフィルタ部６８０Ａ、及び循環流路７７１Ａ，７７２Ａと同様であるので、説明は省略する。なお、液体供給口７３Ｂは、第二装着部８２２からヘッド部１１０側にインク９７を供給する。非貯留流路７２Ｂは、ヘッドユニット１００のノズル配列１２３，１２４に接続されている。循環流路７７１Ｂ及び循環流路７７２Ｂは、夫々、ポンプ９０２及びポンプ９０１を備える。
【００７６】
印刷動作、バルブ部９６の開閉動作、及び循環動作とが実行されるときのインク９７の流れについて説明する。印刷動作、バルブ部９６の開閉動作、及び循環動作は、プリンタ１のＣＰＵ（図示せず）が記憶部（図示せず）に記憶された制御プログラムに従ってプリンタ１を制御することで行われる。印刷動作は、ノズル面１１１からインク９７を吐出して印刷を行う動作である。バルブ部９６の開閉動作は、サブタンク９６にインク９７を供給する動作である。循環動作は、ポンプ９０１〜９０４が駆動され白インクが循環する動作である。
【００７７】
図２の拡大図Ｗ１に示すように、印刷動作においては、ヘッド部１１０に設けられた圧電素子（図示せず）が駆動され、インク９７がノズル面１１１のノズル１１３から吐出される。インク９７をノズル１１３から吐出する動作は、インク９７をノズル面１１１側に引っ張るポンプの役割を果たす。このため、図２に示すように、カートリッジ３０１から、非貯留流路７２Ａを介して、ヘッドユニット１００のノズル配列１２１，１２２に白インクが供給される。また、図３に示すように、カートリッジ３０２から、非貯留流路７２Ｂを介して、ヘッドユニット１００のノズル配列１２３，１２４に白インクが供給される。
【００７８】
また、図２及び図３に示すように、カートリッジ３０３〜３０６の夫々から、第一接続流路６２１〜６２４、バルブ部９６（図１２参照）、サブタンク９１１〜９１４、及び第二接続流路６３１〜６３４を介して、ヘッドユニット２００のノズル配列１２１〜１２４にカラーインクが供給される。バルブ部９６が閉じられている場合には、サブタンク９１１〜９１４から、第二接続流路６３１〜６３４を介して、ヘッドユニット２００のノズル配列１２１〜１２４にカラーインクが供給される。なお、印刷動作時には、ポンプ９０１〜９０４は駆動していないので、循環流路７７１Ａ，７７２Ａ，７７１Ｂ，７７２Ｂ内の白インクは流れない。
【００７９】
図２の拡大図Ｗ２に示すように、印刷が終了されると、ノズル面１１１では、表面張力によってインク９７がノズル１１３の内側に凹むメニスカスが発生する。メニスカスによってインク９７がノズル面１１１に保持される。
【００８０】
バルブ部９６の開閉動作の一例について説明する。図１４及び図１５に示すように、袋部９３が所定の厚み以下である場合、遮蔽板部６９４は、発光部６９７と受光部６９８との間の光路６７０に位置し、発光部６９７からの光を遮蔽する。このとき、ＣＰＵは、バルブ部９６を開き、カートリッジ３からサブタンク９１にインク９７を供給する。これによって、袋部９３の厚みが厚くなる。図１６に示すように、袋部９３が所定の厚みより厚くなると、遮蔽板部６９４は、発光部６９７と受光部６９８との間の光路６７０より上側に移動する。故に、発光部６９７からの光は受光部６９８によって受光される。ＣＰＵは、受光部６９８によって発光部６９７から光が受光されたことを検出してから所定時間（例えば、１０秒間）後に、バルブ部９６を閉じる。
【００８１】
循環動作について説明する。ポンプ９０１〜９０４は、ＣＰＵの制御によって、ノズル１１３からインク９７が吐出されていない非印刷動作時に駆動し、循環動作を行う。循環動作が行われると、図２及び図３の矢印９０に示すように、循環流路７７１Ａ，７７２Ａ，７７１Ｂ，７７２Ｂを介して非貯留流路７２Ａ，７２Ｂ内のインク９７が循環する。これによって、高沈降液体である白インクが撹拌される。
【００８２】
以上のように、本実施形態に係るプリンタ１が構成される。図１７に示すように、本実施形態では、複数のサブタンク９１のうち、第一方向に並ぶサブタンク９１は、少なくとも一部分が上下方向に重なるように斜めに配置される。このため、一部分が上下方向に重ならない場合に比べて、複数のサブタンク９１を配置するための水平方向のスペースを小さくすることができる。よって、プリンタ１が大型化する可能性を低減できる。
【００８３】
また、複数のサブタンク９１のうち、第二方向に並ぶサブタンク９１は、第一方向において互いにずれて配置される。図１７に示すように、サブタンク９１が斜めに配置されている状態で、第二方向に並ぶサブタンク９１が第一方向において互いにずれているので、ずれていない場合に比べて、第二方向に並ぶサブタンク９１の夫々を作業者の目視で確認し易くなる。すなわち、サブタンク９１の水平方向のスペースを小さくしつつ、目視で確認し易くすることができる。このため、例えば、作業者は、サブタンク９１内のインク９７の量を目視で容易に確認できる。また、作業者は、サブタンク９１のサブタンク支持部９２への接続が適正であるか否かを目視で容易に確認できる。
【００８４】
また、図１７に示すように、複数のサブタンク支持部９２のうち、第二方向に並ぶサブタンク支持部９２に設けられた第一固定部８６が第一方向において互いにずれて配置されているので、第一固定部８６同士が第二方向に重ならない。複数のサブタンク支持部９２のうち、第二方向に並ぶサブタンク支持部９２に設けられた第二固定部８７が第一方向において互いにずれて配置されているので、第二固定部８７同士が第二方向に重ならない。よって、第二方向側から、第一固定部８６及び第二固定部８７によってサブタンク支持部９２を固定する作業を容易に行うことができる。すなわち、サブタンク９１を配置するための水平方向のスペースが小さくなり、作業スペースが小さくなる状態においても、サブタンク支持部９２を固定する作業を容易に行うことができる。
【００８５】
サブタンク９１の袋部９３が、水平方向に対して傾いているため、傾かない場合に比べて水平方向のスペースを小さくすることができる。また、袋部９３において、流出口９４２が、流入口９４１より上側に位置する。このため、流出口９４２と流入口９４１とが水平方向に並ぶ場合、又は、流出口９４２が流入口９４１より下側にある場合に比べて、インク９７が充填される前のサブタンク９１にインク９７が充填されるのに伴い、袋部９３に存在する気体を流出口９４２から下流側に排出し易い。よって、インク９７に気体が混入する可能性を低減できる。故に、インク９７に気体が混入して印刷品質が低下する可能性を低減できる。
【００８６】
また、インク９７が充填される前のサブタンク９１にインク９７が充填されるのに伴い、袋部９３に存在する気体がテーパ部９３４，９３５（図１０参照）によって案内され、流出口９４２から排出される。よって、テーパ部９３４，９３５が設けられていない場合に比べて、より確実に袋部９３から気体を排出できる。
【００８７】
また、袋部９３は、斜めに配置されており、水平方向のスペースを小さくしている。袋部９３はフィルムによって形成されているので、袋部９３における上下方向中央より上側に比べて、上下方向中央よりも下側の部位が、インク９７の残量に応じて膨らんだり萎んだりする変位量が大きい。図１２に示すように、本実施形態では、残量検出板６９１は、袋部９３の上下方向中央より下側の部位に当接しているので、袋部９３における上下方向中央より上側に当接する場合に比べて、残量検出板６９１の変位量が大きくなる。よって、袋部９３を斜めに配置して水平方向のスペースを小さくしつつ、より確実にインク９７の残量を検出することができる。
【００８８】
また、図１２、図１５、及び図１６に示すように、袋部９３の第一接続部９３１は、残量検出板６９１を支持する第二壁部９５７側に配置されている。袋部９３において第一接続部９３１とは反対側の部位である後部は、第一接続部９３１側の部位より膨らみやすい（図１６参照）。このため、例えば、袋部９３の後部が第二壁部９５７側に配置されると、膨らみやすい袋部９３の後部が、残量検出板６９１が固定された部位である前部に近くなる。残量検出板６９１の前部は固定されており、後部に比べて上下方向に移動し難いので、膨らんだ袋部９３が残量検出板６９１によって押し潰された状態になり、残量の検出精度が低下する可能性がある。本実施形態では、第一接続部９３１が第二壁部９５７側に配置されている。このため、膨らみやすい袋部９３の後部が、残量検出板６９１が固定された部位から遠くなる。このため、膨らんだ袋部９３が残量検出板６９１によって押しつぶされ難くなり、残量の検出精度が低下する可能性を低減できる。
【００８９】
また、図７に示すように、サブタンク９１１〜９１４は、斜めに配置された状態で、水平方向に並んでいる。サブタンク９１１〜９１４が水平方向に並び、第一装着部８１１，８１３（図６参照）が上下方向に並び、第一装着部８１２，８１４（図６参照）が上下方向に並ぶので、サブタンク９１１〜９１４の夫々と、第一装着部８１１〜８１４の夫々との間の距離は、互いに異なる。
【００９０】
ここで、第一接続流路６２１は、１つの第一装着部８１１と１つのサブタンク９１１とを接続する。第一接続流路６２３は、１つの第一装着部８１１より上側に配置された第一装着部８１３と、水平方向において１つのサブタンク９１１より装着部８０から近い位置に配置されたサブタンク９１３とを接続する。この結果、第一接続流路６２１と第一接続流路６２３とを、同じ長さにすることができる。また、第一接続流路６２２は、１つの第一装着部８１２と１つのサブタンク９１２とを接続する。第一接続流路６２４は、１つの第一装着部８１２より上側に配置された第一装着部８１４と、水平方向において１つのサブタンク９１２より装着部８０から近い位置に配置されたサブタンク９１４とを接続する。この結果、第一接続流路６２２と第一接続流路６２４とを、同じ長さにすることができる。すなわち、複数の第一装着部８１１〜８１４の夫々の上下方向の位置の違いと、複数のサブタンク９１１〜９１４の夫々の水平方向の位置の違いとを利用して、第一接続流路６２１と第一接続流路６２３とを、同じ長さにし、第一接続流路６２２と第一接続流路６２４とを、同じ長さにしている。このため、第一接続流路６２１と第一接続流路６２３とを共通する部品にし、第一接続流路６２２と第一接続流路６２４とを共通する部品にすることができる。よって、サブタンク９１１〜９１４を配置する水平方向のスペースを小さくしつつ、部品を共通化し、コストダウンすることができる。なお、本実施形態では、第一接続流路６２１〜６２４は、全て共通する部品である。
【００９１】
また、図２及び図３に示すように、第二装着部８２１，８２２とサブタンク９１とが第二領域に２１２設けられている。このため、サブタンク９１とノズル面１１１との位置に基づくインク９７の水頭差と、第二装着部８２１，８２２とノズル面１１１との位置に基づくインク９７の水頭差とが略同じになる。このため、ノズル面１１１において、メニスカスによってインク９７が適正に保持され、インク９７の吐出不良が発生し難くなる。故に、印刷品質が低下する可能性を低減できる。なお、サブタンク９１は水平面に対して斜めに傾いており、その上端は、第二領域２１２のやや上側に位置しているが、サブタンク９１においてインク９７の水頭は、第二領域２１２の内側に位置する。また、カートリッジ３０１，３０２において、図５に示す軸部４３は弾性部材４５によって後方向に付勢され、液体収容袋１３を巻き取る。このため、弾性部材４５及び軸部４３が設けられない場合に比べて、液体収容袋１３からインク９７を排出する圧力が高い。このため、カートリッジ３０１，３０２における液体収容体３１内のインク９７の水頭は、第二装着部８２１，８２２の上側にあるが、第二領域２１２の内側に位置する。
【００９２】
また、非貯留流路７２Ａ，７２Ｂには、サブタンク９１が設けられていない。すなわち、複数の装着部８０の夫々からヘッド部１１０に延びる流路のうち、一部の流路にのみサブタンク９１が設けられている。このため、複数の装着部８０の夫々からヘッド部１１０に延びる流路の全てに、サブタンク９１が設けられる場合に比べて、部品点数を削減することができる。
【００９３】
上記実施形態において、プリンタ１は本発明の「印刷装置」の一例である。カートリッジ３は本発明の「収容部」の一例である。サブタンク９１は本発明の「貯留部」の一例である。貯留流路７１１〜７１４は、本発明の「流路」の一例である。サブタンク支持部９２は本発明の「支持台」の一例である。袋部９３の第一接続部９３１は本発明の「接続部」の一例である。第一接続流路６２３，６２４は、本発明の「第一流路」の一例である。第一接続流路６２１，６２２は、本発明の「第二流路」の一例である。残量検出板６９１は本発明の「残量検出部」の一例である。支持板部１４は本発明の「他の部材」の一例である。
【００９４】
なお、本発明は上記の実施形態に限定されるものではなく、種々の変更が可能である。例えば、白インクは高沈降液体でなくてもよい。また、ノズル面１１１から吐出される液体は、インク９７に限定されず、例えば、布帛が染められた色を脱色する抜染材であってもよい。また、非貯留流路７２Ａ，７２Ｂが設けられなくてもよい。また、循環流路７７１Ａ，７７２Ａ，７７１Ｂ，７７２Ｂとポンプ９０１〜９０４とが設けられなくてもよい。また、カートリッジ３の軸部４３及び弾性部材４５（図５参照）が設けられなくてもよい。
【００９５】
また、装着部８０の数及びサブタンク９１の数は限定されず、例えば、夫々５つ以上であってもよい。この場合、第一接続流路６２１〜６２４と同様に、１つの装着部より上側に配置された装着部と、水平方向において１つのサブタンク９１より装着部から近い側に配置されたサブタンクを接続する第一接続流路と、該１つの装着部と該１つのサブタンク９１とを接続する第一接続流路とが設けられてもよい。これによって、複数の第一接続流路を同じ長さにし、部品を共通化できる。また、第一接続流路６２１〜６２４が互いに異なる長さでもよい。
【００９６】
また、袋部９３の第一接続部９３１（図１６参照）が、支持板部９５における第二壁部９５７側とは反対側に配置されてもよい。また、テーパ部９３４，９３５（図１２参照）が設けられなくてもよい。また、袋部９３は、可撓性を有する矩形状の樹脂製の２枚のフィルムを、夫々の一面同士が対向した状態で重ね合わせ、周縁部分を熱溶着によって接続することで形成された袋状の容器であってもよい。また、残量検出板６９１（図１２参照）の袋部９３への当接位置は、袋部９３における上下方向中央、又は、上下方向中央より上側であってもよい。また、検出部６９が設けられなくてもよい。
【００９７】
また、流出口９４２と流入口９４１とは、水平方向に並んでもよい。また、流出口９４２が流入口９４１より下側にあってもよい。また、第二方向に並ぶサブタンク支持部９２に設けられた第一固定部８６が第一方向において互いにずれなくてもよい。第二方向に並ぶサブタンク支持部９２に設けられた第二固定部８７が第一方向において互いにずれなくてもよい。また、第一固定部８６と第二固定部８７との一方のみが設けられてもよい。第一固定部８６と第二固定部８７とが設けられなくてもよい。また、第二方向に並ぶサブタンク９１は、第一方向において互いにずれなくてもよい。また、バルブ部９６が設けられず、第一接続流路６２１〜６２４が、夫々、サブタンク９１１〜９１４の流入口９４１に直接接続されてもよい。また、流入口９４１に係合部８５４が設けられなくてもよい。
【符号の説明】
【００９８】
１    プリンタ
３，３０１〜３０６    カートリッジ
６９    検出部
７２Ａ，７２Ｂ    非貯留流路
８０    装着部
８６，８６１〜８６４    第一固定部
８７，８７１〜８７４    第二固定部
９１，９１１〜９１４    サブタンク
９２，９２１〜９２４    サブタンク支持部
９３    袋部
９４    口栓
９７    インク
１１０    ヘッド部
１１１    ノズル面
１１３    ノズル
６２１〜６２４    第一接続流路
６９１    残量検出板
８１１〜８１４    第一装着部
９３４，９３５    テーパ部
９４１    流入口
９４２    流出口
【図１】
0006337719.tif 000002
【図２】
0006337719.tif 000003
【図３】
0006337719.tif 000004
【図４】
0006337719.tif 000005
【図５】
0006337719.tif 000006
【図６】
0006337719.tif 000007
【図７】
0006337719.tif 000008
【図８】
0006337719.tif 000009
【図９】
0006337719.tif 000010
【図１０】
0006337719.tif 000011
【図１１】
0006337719.tif 000012
【図１２】
0006337719.tif 000013
【図１３】
0006337719.tif 000014
【図１４】
0006337719.tif 000015
【図１５】
0006337719.tif 000016
【図１６】
0006337719.tif 000017
【図１７】
0006337719.tif 000018